(57)【特許請求の範囲】
【請求項１】
エアゾール容器と、該エアゾール容器を支点で支える機能を持つ支持部材とから成るエアゾール容器の内容物残量確認方法であって、
前記エアゾール容器の胴部には、変化する内容物の残量に対応して、エアゾール容器が水平状態を保つ位置の目盛が表示され、
前記支持部材は、床面に横に倒した状態のエアゾール容器の胴部下側を載置する支点となり、
前記支持部材が、エアゾール容器の誤操作を防止する保護キャップに付設されることを特徴とする、
エアゾール容器の内容物残量確認方法。
【請求項２】
エアゾール容器と、該エアゾール容器を支点で支える機能を持つ支持部材とから成るエアゾール容器の内容物残量確認方法であって、
前記エアゾール容器の胴部には、変化する内容物の残量に対応して、エアゾール容器が水平状態を保つ位置の目盛が表示され、
前記支持部材は、床面に横に倒した状態のエアゾール容器の胴部下側を載置する支点となり、
前記支持部材が、エアゾール容器に添付される、くしに付設されることを特徴とする、エアゾール容器の内容物残量確認方法。
【請求項３】
前記エアゾール容器が、カバー部材により連結された２連式エアゾール容器であることを特徴とする請求項１または２記載のエアゾール容器の内容物残量確認方法。
【請求項４】
エアゾール容器と、該エアゾール容器を支点で支える機能を持つ支持部材とから成るエアゾール容器の内容物の残量を確認する支持部材付きのエアゾールであって、
前記エアゾール容器の胴部には、変化する内容物の残量に対応して、エアゾール容器が水平状態を保つ位置の目盛が表示されており、
前記支持部材は、床面に横に倒した状態のエアゾール容器の胴部下側を載置する支点となるものであり、
前記支持部材が、エアゾール容器の誤操作を防止する保護キャップに付設されていることを特徴とする、
エアゾール容器の内容物の残量を確認する支持部材付きのエアゾール容器。
【請求項５】
エアゾール容器と、該エアゾール容器を支点で支える機能を持つ支持部材とから成るエ
アゾール容器の内容物の残量を確認する支持部材付きのエアゾール容器であって、
前記エアゾール容器の胴部には、変化する内容物の残量に対応して、エアゾール容器が水平状態を保つ位置の目盛が表示されており、
前記支持部材は、床面に横に倒した状態のエアゾール容器の胴部下側を載置する支点となるものであり、
前記支持部材が、エアゾール容器に添付される、くしに付設されていることを特徴とする、
エアゾール容器の内容物の残量を確認する支持部材付きのエアゾール容器。
【請求項６】
前記エアゾール容器が、カバー部材により連結された２連式エアゾール容器であることを特徴とする請求項４または５記載のエアゾール容器の内容物の残量を確認する支持部材付きのエアゾール容器。
【発明の詳細な説明】
【技術分野】
【０００１】
本発明は、エアゾール容器の内容物の残量確認方法及びエアゾール容器に関し、さらに詳しくは、エアゾール容器を支点で支える機能を持つ支持部材を用いて、エアゾール容器の内容物の残量を確認する方法及びエアゾール容器に関する。
【背景技術】
【０００２】
従来、エアゾール容器が二重エアゾール容器で内容物がクリーム状物質の場合、振っても音がしないので、音で内容物の残量を確認することは不可能であった。そして、エアゾール容器内の内容物の残量がわからないまま染毛剤の使用を開始し、途中で染色剤がなくなった場合、染毛が中途半端になってしまう欠点があった。そこで、これらの欠点を解消するため、エアゾール容器内の内容物の残量を外部から確認する方法が従来案出されている。例えば、従来のエアゾール容器の内容物残量確認方法としては、例えば、図１１に示す内容物残量確認方法がある。
【０００３】
図１１に示す内容物残量確認方法は、内容物の残量の適否を床面において、キャップ６２から延びる位置に支点６０が形成され、この支点６０を利用して、エアゾール容器６１の傾く方向を目視して残量を確認する方法である。この従来の残量確認方法は、図１１（ａ）に示すように、残量が十分ある場合（満の場合）は、エアゾール容器６１の重心は、胴部の下方向にある。反対に図１１（ｂ）に示すように、残量が少ない（空の場合）は、エアゾール容器の重心は、容器の胴部の上方向にある。したがって、キャップ６２から延びる支点６０を床面に載置した場合、図１１（ａ）の状態においては内容物は十分に残存し、又図１１（ｂ）の状態においては、内容物が少ない状態であることを確認することができる。このような従来の文献としては、特許文献１がある。
【先行技術文献】
【特許文献】
【０００４】
【特許文献１】登録実用新案第３００９７４６号公報
【発明の概要】
【発明が解決しようとする課題】
【０００５】
しかし、従来のエアゾール容器６１内の内容物の確認方法は、内容物の残量が十分である場合又は残量が少ない場合の２つに大まかに確認できるが、その中間の残量を確認することができなかった。又、キャップ６２やエアゾール容器６１の胴部に支点である突部６０を設けることは、エアゾール容器６１を手で持つ場合、手のひらに違和感を感じる欠点があった。
本発明は、このような課題に着目してなされたもので、内容物の残量をより明確に、複数の段階で確認でき、かつ違和感を感じることがないエアゾール容器の内容物の残量を確認する方法及びエアゾール容器を提供することを目的とする。
【課題を解決するための手段】
【０００６】
この課題を解決するため、請求項１記載の発明の解決手段は、エアゾール容器と、このエアゾール容器を支点で支える機能を持つ支持部材とから成るエアゾール容器の内容物残量確認方法であって、ａ）エアゾール容器の胴部には、変化する内容物の残量に対応して、エアゾール容器が水平状態を保つ位置の目盛が表示され、ｂ）エアゾール容器を支える機能を持つ支持部材は、床面に横に倒した状態のエアゾール容器の胴部下側に載置されて支点となることを特徴とするエアゾール容器の内容物残量確認方法である。
【０００７】
この課題を解決するため、請求項２記載の発明の解決手段は、エアゾール容器を支点で支える機能を持つ支持部材が、エアゾール容器の誤操作を防止する保護キャップに付設されたことを特徴とするエアゾール容器の内容物残量確認方法である。
【０００８】
この課題を解決するため、請求項３記載の発明の解決手段は、エアゾール容器を支点で支える機能を持つ支持部材が、エアゾール容器が収納される、パッケージに付設されたことを特徴とするエアゾール容器の内容物残量確認方法である。
【０００９】
この課題を解決するため、請求項４記載の発明の解決手段は、エアゾール容器と、該エアゾール容器を支点で支える機能を持つ支持部材とから成るエアゾール容器の内容物の残量を確認する支持部材付きのエアゾールであって、前記エアゾール容器の胴部には、変化する内容物の残量に対応して、エアゾール容器が水平状態を保つ位置の目盛が表示されており、前記支持部材は、床面に横に倒した状態のエアゾール容器の胴部下側を載置する支点となるものであり、前記支持部材が、エアゾール容器の誤操作を防止する保護キャップに付設されていることを特徴とする、アゾール容器の内容物の残量を確認する支持部材付きのエアゾール容器である。
【００１０】
この課題を解決するため、請求項５記載の発明の解決手段は、エアゾール容器と、該エアゾール容器を支点で支える機能を持つ支持部材とから成るエアゾール容器の内容物の残量を確認する支持部材付きのエアゾール容器であって、前記エアゾール容器の胴部には、変化する内容物の残量に対応して、エアゾール容器が水平状態を保つ位置の目盛が表示されており、前記支持部材は、床面に横に倒した状態のエアゾール容器の胴部下側を載置する支点となるものであり、前記支持部材が、エアゾール容器に添付される、くしに付設されていることを特徴とする、エアゾール容器の内容物の残量を確認する支持部材付きのエアゾール容器である。
【００１１】
この課題を解決するため、請求項６記載の発明の解決手段は、前記エアゾール容器が、
カバー部材により連結された２連式エアゾール容器であることを特徴とする支持部材付きのエアゾール容器である。
【発明の効果】
【００１２】
本発明に係るエアゾール容器の内容物の残量を確認する方法によれば、残量をより明確に、複数の段階で判別できる効果を有する。したがって、使用途中で内容物がなくなり、染毛ができなくなるのを確実に防止することができる。さらに、エアゾール容器を支点で支える機能を持つ突部等が、エアゾール容器の胴部等に存在しないので、エアゾール容器を手で持つ場合において、違和感を感じない効果を有する。
【図面の簡単な説明】
【００１３】
【図１】本発明に係るエアゾール容器の内容物残量確認方法である実施例１に用いられる、保護キャップを有する２連式エアゾール容器を示す図面。
【図２】本発明に係るエアゾール容器の内容物残量確認方法である実施例１に用いられる、保護キャップを示す図面。
【図３】本発明に係るエアゾール容器である内容物残量確認方法を示す図面。
【図４】本発明に係るエアゾール容器である内容物残量確認方法を示す図面。
【図５】本発明に係るエアゾール容器である内容物残量確認方法を示す図面。
【図６】本発明に係るエアゾール容器である内容物残量確認方法の実施例２に用いられる、保護キャップを有するエアゾール容器を示す図面。
【図７】本発明に係るエアゾール容器の内容物残量確認方法の実施例３を示す正面図。
【図８】本発明に係るエアゾール容器の内容物残量確認方法の実施例４を示す正面図。
【図９】本発明に係るエアゾール容器の内容物残量確認方法の実施例５を示す正面図。
【図１０】本発明に係るエアゾール容器の内容物残量確認方法の実施例６を示す正面図。
【図１１】従来のエアゾール容器の内容物残量確認方法を示す図面（ａ）、（ｂ）。
【発明を実施するための形態】
【００１４】
以下、本発明の実施例の一例を図面に基づいて説明する。
【実施例１】
【００１５】
図１は、本発明に係る実施例１の保護キャップを有する２連エアゾール容器を示す図面である。１は２連式エアゾール容器である。この２連式エアゾール容器１は、例えば、染毛１剤が充填されたエアゾール容器２と、染毛２剤が充填されたエアゾール容器３を組み合わせ、カバー部材４に連結されている。そして、押しボタン５を押圧することにより、染毛１剤と染毛２剤は、カバー部材４の吐出口６から外に混合状態で吐出される。この実施例１では、押しボタン５を間違って押圧しないように、保護カバー７が２連式エアゾール容器１のカバー部材４の上部に被せられている。又、図３に示すように、２連式エアゾール容器１の胴部１ａの側面には、変化する内容物の残量に対応して、エアゾール容器が水平状態を保つ位置を示す目盛８が、エアゾール容器１表面に印刷又はシールを貼付等の方法で表示されている。
【００１６】
図２に示すように、保護カバー７は、保護カバー本体７ａと、この保護カバー本体７ａの上部に形成され、２連式エアゾール容器１を支点で支える機能を持つ支持部材７ｂとから形成されている。そして、２連式エアゾール容器１の残量を測定する場合は、この保護カバー７を、２連式エアゾール容器１のカバー部材４から取り外し、図３〜図５に示すように、２連式エアゾール容器１が、バランス的に水平になる位置の床面上に載置され、この場合の支持部材７ｂの矢印が示す目盛り８が、２連式エアゾール容器１内の内容物の残量を示す。すなわち、支持部材７ｂの矢印が示す目盛８を目視することにより、２連式エアゾール容器１内の内容物の残量を確認することができる。
【００１７】
２連式エアゾール容器１に表示されたバランス的に水平状態を保つ目盛８が、２連式エアゾール容器１の残量を表示する。図３〜図５は、２連式エアゾール容器１が内容物の残量によって、水平に持たれる位置が異なる状態を示す図面である。図３は、内容物の残量が少ない状態又は空の状態を示し、図４は内容物の残量が約５０％、さらに図５は、内容物の残量がまだ十分にある状態を示している。支持部材７ｂの支点上をエアゾール容器１を左右にスライドさせることにより、支持部材７ｂの支点でエアゾール容器１が水平状態を保持する位置を目盛８を読み取ることにより、２連式エアゾール容器１内の内容物の残量も同様に確認することができる。
【実施例２】
【００１８】
図６は、１本のエアゾール容器１１に、カバー部材１４及び保護カバー１７が取り付けられた実施例２を示す図面である。この実施例２は実施例１と同様に、押しボタン１５を間違って押圧しないように、保護カバー１７がエアゾール容器１１のカバー部材１４の上部に被せられている。そして、実施例１と同様に、保護カバー１７は保護カバー本体１７ａと、この保護カバー本体１７ａの上部に形成され、エアゾール容器１１を支点で支える機能を持つ支持部材１７ｂとから形成されている。内容物の残量の測定方法は実施例１と同様である。
【実施例３】
【００１９】
図７は、２連式エアゾール容器を収納して販売するパッケージ２０に、２連式エアゾール容器２１を支点で支える機能を持つ支持部材２２を設けた実施例３である。図７（ｂ）に示すように、パッケージ２０に形成された破線部の一部を切断し又は折り曲げて、支持部材２２を作り、その上に２連式エアゾール容器２１を支点で支えて、内容物の残量を目視で把握することができる。内容物の残量の測定方法は実施例１と同様である。
【実施例４】
【００２０】
図８は、２連式エアゾール容器を収納して販売するパッケージ内に添付されているクシ３０の持ち手に、２連式エアゾール容器３１を支点で支える機能を持つ支持部材３２が設けられている実施例４を示す実施例である。クシ３０の持ち手に形成された支持部材３２の上に、２連式エアゾール容器３１を支点で支えて、内容物の残量を目視で把握することができる。内容物の残量の測定方法は実施例１と同様である。
【実施例５】
【００２１】
図９は、２連式エアゾール容器４１の胴部に部品として添付される、２連式エアゾール容器４１を支点で支える機能を持つ支持部材４２を示す実施例５を示す実施例である。部品としての支持部材４２は、２連式エアゾール容器４１の胴部に袋等に収納されて貼付等の方法で添付されている。同様に、２連式エアゾール容器４１を支点で支えて、内容物の残量を目視で把握することができる。内容物の残量の測定方法は実施例１と同様である。
【実施例６】
【００２２】
図１０は、２連式エアゾール容器５１に、部品５３として添付される２連式エアゾール容器５１を支点で支える機能を持つ支持部材５２を示す実施例６を示す実施例である。部品５３としての支持部材５２は、２連式エアゾール容器を収納して販売するパッケージ内に別途添付されている。
【産業上の利用可能性】
【００２３】
本発明は、エアゾール容器に添付され、エアゾール容器を支点で支える機能を持つ支持部材を用いて、エアゾール容器の内容物の残量を目視で確認することができるので、内容物の残量を正確に確認することができので、染毛剤、薬剤、食品等のエアゾール容器等に広く利用することができる。
【符号の説明】
【００２４】
１，２１，３１，４１，５１  ２連式エアゾール容器
２，３，１１  エアゾール容器
４，１４  カバー部材
８  目盛
７，１７  保護キャップ
７ｂ，１７ｂ，２２，３２，４２，５２  支持部材
２０  パッケージ
３０ くし 
【図１】
0005726468.tif 000002
【図２】
0005726468.tif 000003
【図３】
0005726468.tif 000004
【図４】
0005726468.tif 000005
【図５】
0005726468.tif 000006
【図６】
0005726468.tif 000007
【図７】
0005726468.tif 000008
【図８】
0005726468.tif 000009
【図９】
0005726468.tif 000010
【図１０】
0005726468.tif 000011
【図１１】
0005726468.tif 000012